(57)【要約】【課題】リールの出線と収線の改良構造の提供。【解決手段】本構造は、上蓋、定位素子、導軌座、渦旋ばね、旋転ベース、伝送線、下蓋、からなる。その特徴は、下蓋中央軸柱に高低落差のある凸縁部を有し、伝送線を軸柱に固定し、軸柱を数回環繞した後、伝送線の出線、収線時に、軸柱の伝送線が時計回りか反時計回りに旋転し、高低落差の凸縁部に抵止し、受力点が異なり、伝送線の長期使用下で摩損して接触不良が生じたり、断裂したりするのを防止する。【選択図】    図２
0003136136.tif 000002
【実用新案登録請求の範囲】
【請求項１】
リールの出線と収線の改良構造であって、主に、上蓋、定位素子、導軌座、渦旋ばね、旋転ベース、伝送線、下蓋、からなり、伝送線が一定の長さを維持でき、電子製品への連接に便利で、その特徴は、前記下蓋中央軸柱に高低落差のある凸縁部を有し、前記伝送線を軸柱に固定し、前記軸柱を数回環繞した後、前記伝送線の出線、収線時に、軸柱の伝送線が時計回りか反時計回りに旋転し、高低落差の凸縁部に抵止し、受力点が異なり、前記伝送線の長期使用下で摩損して接触不良が生じたり、断裂したりしないことを特徴とする構造。
【考案の詳細な説明】
【技術分野】
【０００１】
本考案は、リールの出線と収線の改良構造に関し、伝送線が容易に断裂するのを防止し、リールの軸柱に高低落差のある凸縁部を設置し、伝送線の出線と収線時に、軸柱の伝送線が時計回りか反時計回りに旋転し、それぞれ高低落差の凸縁部に抵止し、公知のリールの伝送線が時計回りか反時計回りの旋転時に、受力が同一点で、伝送線が疲労断裂するのを防止する構造に関するものである。
【背景技術】
【０００２】
一般のリールは、長期使用下で、断裂や摩損が生じやすく、接触不良等の問題を生じる。その原因は、伝送線の反復湾折の受力が同一点であり、疲労断裂を起こす。図７は公知のリール構造を示し、軸柱８２凸縁部が均等の高さで、伝送線７が時計回りでも反時計回りでも、受力が同一位置、例えばCであり、且つ、伝送線７は折角７１を有するので、伝送線の携帯と収納が不便である。また、公知のリールは疲労断裂しやすく、改善が必要である。
【考案の開示】
【考案が解決しようとする課題】
【０００３】
本考案の目的は、上述の問題を改善するリールの出線と収線改良構造を提供することにある。
【課題を解決するための手段】
【０００４】
本考案のリールの出線と収線改良構造は、上蓋、定位素子、導軌座、渦旋ばね、旋転ベース、伝送線、下蓋、からなる。旋転ベース上方に渦旋ばねを定位し、下方は伝送線を固定、繞設し、旋転ベース上方に導軌座を係合し、導軌座は環状導槽を有する。上蓋下方は定位素子槽を設置し、定位素子槽内に定位素子を有する。定位素子は環繞トラック中で移動できる。下蓋中間に、軸柱を延伸し、軸柱にノッチを有する。ノッチは、渦旋ばねと伝送線を固定し、導軌座と旋転ベースは係合して、軸柱に軸設され、上蓋が下蓋と係合し、伝送線が旋転ベース上に繞設され、伝送線がもつれたり、作動不順が生じるのを防止する。渦旋ばねの弾力により伝送線を自動回収し、定位素子と環状トラックにより、伝送線を引き出す時に定位素子が環状トラック中で滑動し、伝送線が一定の長さになった時、定位素子が定位槽に係止し、引き出した伝送線が分段固定される。リールの出線と収線改良構造は、下蓋中央軸柱の高低落差の凸縁部により、伝送線を軸柱に固定し、軸柱を数回環繞した後、伝送線出線、或いは、収線時に、軸柱の伝送線が時計回り、或いは、反時計回りに旋転し、それぞれ、高低落差の凸縁部に抵止し、抵止する受力点が異なるので、伝送線は湾折して断裂することがない。
【考案の効果】
【０００５】
本考案により、伝送線の出線、収線時に、軸柱の伝送線が時計回りか反時計回りに旋転し、高低落差の凸縁部に抵止し、受力点が異なり、伝送線の長期使用下で摩損して接触不良が生じたり、断裂したりするのを防止する。
【考案を実施するための最良の形態】
【０００６】
図１と図２は本考案のリールの出線と収線改良構造の組み合わせと分解図で、本考案の構造は、上蓋２、定位素子３、導軌座４、渦旋ばね５、旋転ベース６、伝送線７、下蓋８、からなる。上蓋２と下蓋８間に、導軌座４と旋転ベース６を設置し、下蓋８の軸柱８２により旋転ベース６を穿過し、且つ、渦旋ばね５と伝送線７を固定する。上蓋２下方内側は定位素子３の設置と動作の空間を有し、上蓋２下方は導軌座４を有し、導軌座４上方は環状トラック４１を有する。環状トラック４１は定位槽４１１を有し、定位素子３が環状トラック４１中に位置し、導軌座４下方は旋転ベース６を有し、旋転ベース６上方に過旋ばね槽６１を有して、渦旋ばね５を中に設置する。伝送線７の一端は軸柱８２を数回環繞し、末端は外に向かって下蓋８外に延伸し、下蓋中央軸柱上に高低落差のある凸縁部８２０、８２０１を設け、軸柱８２上の伝送線７のもう一端は、反対方向で旋転ベース６外周に繞設され、末端は下蓋８の出線孔８３から伸出して、自由に適当な長さに引き出せる。伝送線７を外に向かって引く、或いは、回収する時、軸柱８２を数回環繞した伝送線７は緩み、緩衝して、伝送線７の引動空間を提供する。伝送線７は旋転ベース６に繞設され、軸柱８２に固定された後、渦旋ばね５が旋転ベース６の渦旋ばね槽６１中でも、軸柱上のノッチ８２１に固定される。
【０００７】
図３と図３Aを参照すると、下蓋８の中央軸柱８２上に高低落差の凸縁部８２０、８２０１を有し、伝送線７を軸柱８２に固定し、軸柱８２を数回環繞した後、伝送線７の出線、或いは、収線時に、軸柱８２の伝送線７は時計回り、或いは、反時計回りに旋転し、丁度、高低落差の低凸縁部８２０、或いは、高凸縁部８２０１に抵止し、伝送線７の受力点が異なるので、伝送線７は湾折して疲労断裂しない。
【０００８】
図４と図４Aを参照すると、図から伝送線７の受力状況が分かり、出線時、伝送線７は軸柱８２の末端に固定されて、高凸縁部８２１０に抵止し、伝送線７はA点で受力し、B点より前であり、伝送線７が軸柱８２末端に固定されて、時計回り、或いは、反時計回りに旋転する湾折の受力点が異なるので、断裂しやすい問題を改善し、使用寿命を延長する。
【０００９】
図５と図５Aを参照すると、図から伝送線７の受力状況が分かり、収線時、伝送線７は軸柱８２の末端に固定されて、低凸縁部８２０に抵止し、伝送線７はB点で受力し、A点より後ろであり、伝送線７が軸柱８２末端に固定されて、時計回り、或いは、反時計回りに旋転する湾折の受力点が異なるので、断裂しやすい問題を改善し、使用寿命を延長する。
【００１０】
図６は本考案のリールの出線と収線改良構造の立体図で、本考案の構造は、携帯と収納に便利で、本構造は両端ジョイントを有し、一端の伝送線７が長さを固定し、もう一端が適当な長さに引き出せ、異なる電子製品の連接に便利である。
【図面の簡単な説明】
【００１１】
【図１】本考案のリールの出線と収線の改良構造の組み合わせ図である。
【図２】本考案のリールの出線と収線の改良構造の分解図である。
【図３】本考案のリールの出線と収線の改良構造の下蓋を示す図である。
【図３Ａ】本考案のリールの出線と収線の改良構造の凸縁部の拡大図である。
【図４】本考案のリールの出線と収線の改良構造の伝送線の出線を示す図である。
【図４Ａ】本考案のリールの出線と収線の改良構造の伝送線の反時計回り旋転の受力を示す図である。
【図５】本考案のリールの出線と収線の改良構造の伝送線の収線を示す図である。
【図５Ａ】本考案のリールの出線と収線の改良構造の時計回り旋転の受力を示す図である。
【図６】本考案のリールの出線と収線の改良構造の実施例を示す立体図である。
【図７】公知のリールの局部を示す図である。
【符号の説明】
【００１２】
2上蓋
3定位素子
4導軌座
5渦旋ばね
6旋転ベース
7伝送線
8下蓋
41環状トラック
61渦旋ばね槽
71折角
82軸柱
83出線孔
411定位槽
820低凸縁部
8201高凸縁部
821ノッチ
【図１】
0003136136.tif 000003
【図２】
0003136136.tif 000004
【図３】
0003136136.tif 000005
【図３Ａ】
0003136136.tif 000006
【図４】
0003136136.tif 000007
【図４Ａ】
0003136136.tif 000008
【図５】
0003136136.tif 000009
【図５Ａ】
0003136136.tif 000010
【図６】
0003136136.tif 000011
【図７】
0003136136.tif 000012
【手続補正書】
【提出日】平成19年8月7日(2007.8.7)
【手続補正１】
【補正対象書類名】実用新案登録請求の範囲
【補正対象項目名】全文
【補正方法】変更
【補正の内容】
【実用新案登録請求の範囲】
【請求項１】
上蓋２、定位素子３、導軌座４、渦旋ばね５、旋転ベース６、伝送線７、並びに内側中央に低凸縁部８２０、高凸縁部８２０１を形成した高低落差のある凸縁部を形成し、且つノッチ８２１を形成して成る軸柱８２を配した下蓋８から成り、
下蓋８には、下蓋８の軸柱８２に伝送線７の一端を固定して環繞し、該伝送線７の末端を下蓋８の出線孔８３から伸出して収容し、
該下蓋８の軸柱８２には、渦旋ばね５を渦旋ばね５の一端を固定して貫挿し、
その上に、定位素子３が環状トラック４１中に位置させて配した定位槽４１１を有する導軌座を配設し、これらの部品の上から、
上蓋２を下蓋８に被せて成ることを特徴とするリール。
【手続補正３】
【補正対象書類名】明細書
【補正対象項目名】０００１
【補正方法】変更
【補正の内容】
【０００１】
本考案は、リールに関し、伝送線が容易に断裂するのを防止し、リールの軸柱に高低落差のある凸縁部を設置し、伝送線の出線と収線時に、軸柱の伝送線が時計回りか反時計回りに旋転し、それぞれ高低落差のある凸縁部に抵止し、公知のリールの伝送線が時計回りか反時計回りの旋転時に、受力が同一点で、伝送線が疲労断裂するのを防止する構造に関するものである。
【手続補正４】
【補正対象書類名】明細書
【補正対象項目名】０００３
【補正方法】変更
【補正の内容】
【０００３】
本考案の目的は、上述の問題を改善するリールを提供することにある。
【手続補正５】
【補正対象書類名】明細書
【補正対象項目名】０００４
【補正方法】変更
【補正の内容】
【０００４】
本考案のリールは、上蓋、定位素子、導軌座、渦旋ばね、旋転ベース、伝送線、下蓋、からなる。旋転ベース上方に渦旋ばねを定位し、下方は伝送線を固定、繞設し、旋転ベース上方に導軌座を係合し、導軌座は環状トラックを有する。上蓋下方は定位素子槽を設置し、定位素子槽内に定位素子を有する。定位素子は環繞トラック中で移動できる。下蓋中間に、軸柱を延伸し、軸柱にノッチを有する。ノッチは、渦旋ばねと伝送線を固定し、導軌座と旋転ベースは係合して、軸柱に軸設され、上蓋が下蓋と係合し、伝送線が旋転ベース上に繞設され、伝送線がもつれたり、作動不順が生じるのを防止する。渦旋ばねの弾力により伝送線を自動回収し、定位素子と環状トラックにより、伝送線を引き出す時に定位素子が環状トラック中で滑動し、伝送線が一定の長さになった時、定位素子が定位槽に係止し、引き出した伝送線が分段固定される。リールの出線と収線改良構造は、下蓋中央軸柱の高低落差のある凸縁部により、伝送線を軸柱に固定し、軸柱を数回環繞した後、伝送線出線、或いは、収線時に、軸柱の伝送線が時計回り、或いは、反時計回りに旋転し、それぞれ、高低落差のある凸縁部に抵止し、抵止する受力点が異なるので、伝送線は湾折して断裂することがない。
【手続補正６】
【補正対象書類名】明細書
【補正対象項目名】０００７
【補正方法】変更
【補正の内容】
【０００７】
図３と図３Aを参照すると、下蓋８の中央軸柱８２上に高低落差のある凸縁部８２０、８２０１を有し、伝送線７を軸柱８２に固定し、軸柱８２を数回環繞した後、伝送線７の出線、或いは、収線時に、軸柱８２の伝送線７は時計回り、或いは、反時計回りに旋転し、丁度、高低落差のある低凸縁部８２０、或いは、高凸縁部８２０１に抵止し、伝送線７の受力点が異なるので、伝送線７は湾折して疲労断裂しない。